(57)【特許請求の範囲】
【請求項１】
基台となる本体と、この本体の前部に支柱の被矯正部を保持する保持部品と、前記本体の後部にジャッキ取付台を設けて、このジャッキ取付台にジャッキを取付け、このジャッキの先端に前記支柱上で前記被矯正部から離れた部位にある被押圧部に当てる押圧部品を設けて、さらに、前記本体の先端部と前記押圧部品の間隔を維持する支持部品を設けた支柱矯正装置。
【請求項２】
前記ジャッキ取付台はジャッキの位置を変えられる請求項１記載の支柱矯正装置。
【請求項３】
前記保持部品はワイヤーロープからなる請求項１、または請求項２記載の支柱矯正装置。
【請求項４】
前記保持部品はワイヤーロープを固定板で挟持して固定する請求項３記載の支柱矯正装置。
【請求項５】
前記保持部品は増締め装置を設けた請求項４記載の支柱矯正装置。
【請求項６】
前記支柱矯正装置は牽引矯正用補助金具と牽引矯正用ワイヤーロープを設けた請求項１から５のいずれかに記載の支柱矯正装置。
【請求項７】
前記本体は先端部に、ロープ掛金具を前後に移動可能に設けた請求項３から６のいずれかに記載の支柱矯正装置。
【発明の詳細な説明】
【０００１】
【発明の属する技術分野】
本発明は、道路設備の支柱が事故等により曲がってしまった場合に元の状態に応急に戻す支柱矯正装置の改良に関する。
【０００２】
【従来の技術】
道路維持作業の現場では、足場用の手回しスクリュージャッキを利用したものが使用されている。
【０００３】
これは文献「特開２００１−２３９３１８」にあるように本体の後端部にスクリュージャッキを設けたものである。本体の先端部には、支柱根元を保持し且つ本体の浮き上がりを防止するためのカムをもつ保持部と、この保持部とは別にそのすぐ上に、支柱を把持し且つ前記カムとの係合片をもつクランプを用いた保持部がある。さらに、スクリュージャッキの先端には支柱の被押圧部を把持するクランプを用いた保持部があり、合計３カ所の保持部がある。
【０００４】
【発明が解決しようとする課題】
１、負荷の大きさに対して非力な手まわしのスクリュージャッキを使用しているので、スクリュー部が磨滅して摩擦抵抗が上がりたいへん労力を要した。
２、支柱の３カ所に保持の必要があるので設置に手間どった。
３、カムによる本体の浮き上がり防止は、カムの形状と矯正中のカムの係合片の軌道が一致しないとだめなので確実ではなかった。
４、押圧による矯正しか出来ないので、支柱（９１）が曲がっている方向に壁等があり、その間が狭くて設置不能な時には使用出来なかった。ことに標識柱の場合は道路の端に立っていることが多いので、設置が出来ない場合が多くあった。
５、押圧による矯正しか出来ないので、支柱が歩道と車道の境にある場合に車道側に曲がっていると、車道上でしか作業が出来ないので危険であった。
６、押圧力と耐久性を補うために、支柱のなるべく上方の押圧が出来るように、長くて大きく重い足場用の手回しスクリュージャッキを用いている。そのうえ、曲がりにくくする補強板を付けて、３カ所の保持部品も必要なので、さらに重（全重量１９．５ｋｇ）かった。
７、２０回位使うとジャッキのスクリュー部が擦り切れて空回りし使用不能となるため不経済であった。
【０００５】
そこで、請求項１記載の発明の目的は、強力、簡便、堅牢、経済的で製造が容易な支柱矯正装置を提供するものである。
請求項２記載の発明の目的は、請求項１記載の支柱矯正装置において、小型、軽量な支柱矯正装置を提供するものである。
請求項３記載の発明の目的は、請求項２記載の支柱矯正装置において、さらに簡便、堅牢で、確実、多対応な支柱矯正装置を提供するものである。
請求項４記載の発明の目的は、請求項３記載の支柱矯正装置において、さらに簡便、確実な支柱矯正装置を提供するものである。
請求項５記載の発明の目的は、請求項４記載の支柱矯正装置において、さらに簡便、確実な支柱矯正装置を提供するものである。
請求項６記載の発明の目的は、請求項１から５のいずれかに記載の支柱矯正装置において、さらに多対応で、安全な支柱矯正装置を提供するものである。
請求項７記載の発明の目的は、請求項３から６のいずれかに記載の支柱矯正装置において、さらに簡便な支柱矯正装置を提供するものである。
【０００６】
【課題を解決するための手段】
請求項１記載の発明では、基台となる本体と、この本体の前部に支柱の被矯正部を保持する保持部品と、前記本体の後部にジャッキ取付台を設けて、このジャッキ取付台にジャッキを取付け、このジャッキの先端に前記支柱上で前記被矯正部から離れた部位に当てる押圧部品を設けて、さらに、前記本体の先端部と前記押圧部品の間隔を維持する支持部品を設ける。
請求項２記載の発明では、請求項１記載の支柱矯正装置において、前記ジャッキ取付台はジャッキの位置を変えられる。
請求項３記載の発明では、請求項１、又は請求項２記載の支柱矯正装置において、前記保持部品は、ワイヤーロープからなる。
請求項４記載の発明では、請求項３記載の支柱矯正装置において、前記保持部品は、ワイヤーロープを固定板で挟持して固定する。
請求項５記載の発明では、請求項４記載の支柱矯正装置において、前記保持部品は、増締め装置を設ける。
請求項６記載の発明では、請求項１から５のいずれかに記載の支柱矯正装置において、前記本体後部の浮き上がりを防止する牽引矯正用補助金具と、牽引矯正用ワイヤーロープを設ける。
請求項７記載の発明では、請求項３から６のいずれかに記載の支柱矯正装置において、前記本体は、先端部にロープ掛金具を前後に移動可能に設ける。このロープ掛金具の先端に支柱とワイヤーロープの間に挟持させる掛片を設ける。
【０００７】
【発明の実施の形態】
図面を参照する。第１の実施の形態は、請求項６によるもので、ロープ掛金具（１４）（図１０）を用いない支柱矯正装置である。第２の実施の形態は、請求項７によるもので、ロープ掛金具（１４）を用いる支柱矯正装置である。
【０００８】
第１の実施の形態を説明する。図１と図２の主要部分の縮尺は約２０分の３である。事故等により根元から曲がってしまったガードパイプの支柱（９１）（例えば、直径６０．５ｍｍ）を、仮想線で現された元の状態に矯正中の図面である。図１は押圧による矯正の実施時の説明図で、図２は牽引による矯正の実施時の説明図である。
【０００９】
押圧矯正時は、本体（１０）（基台の部分は、例えば、長さ７００ｍｍ、巾７５ｍｍ、高さ４５ｍｍ）の前部に支柱（９１）の根元を保持するためのワイヤーロープ（６１）（例えば、直径９ｍｍ）を設け、本体（１０）の後部にジャッキ取付台（２０）を設けて、これに油圧ジャッキ（３０）（例えば、４ｔｏｎ）を取付ける。さらに油圧ジャッキ（３０）の先端には、支柱（９１）に押し当てるための押圧部品（４０）を設け、また本体の先端部と押圧部品（４０）との間隔を維持するための支持部品（５０）を設けて構成されている。
【００１０】
牽引矯正時は、本体（１０）・ワイヤーロープ（６１）のみ押圧矯正時と同様だが、ジャッキ取付台（２０）・油圧ジャッキ（３０）・押圧部品（４０）・支持部品（５０）は一体に軸着部（８１）を中心に前後逆向きになり、さらに牽引用ワイヤーロープ（７１）（例えば直径９ｍｍ）と補助金具（７２）を加えて構成されている。上記の向き変えは後脚（２３）を前脚（２２）の前に振り出すだけでも可能だが、この場合はジャッキのレバーの操作方向によっては不都合がないようにジャッキを挿し変えるか回転させるかしなくてはならず、ここではその必要がない方法を採用している。
【００１１】
設置方法は、支柱（９１）の根元に先端金具（１１）を当てがってから、あらかじめ一端を固定装置（６２）に通してあるワイヤーロープ（６１）を、支柱（９）の根元に巻き（１巻き半にすれば十分で、保持力と耐久性が上がる）つけて、ワイヤーロープ（６１）の他端にある輪を増締め装置（６３）の開いているレバー（６３ａ）に掛けてワイヤーロープ（６１）を固定装置（６２）側で引っ張り、増締めが効くワイヤーロープ（６１）の固定位置を決める。固定装置（６２）で固定する。その際に先端金具（１１）の両側と軸着部（８６）を案内としてその間にワイヤーロープ（６１）を通す。増締め装置（６３）で増締めして設置を完了する。
【００１２】
牽引矯正時の設置方法は、上記の設置後、補助金具（７２）は本体（１０）に被せ、軸着部（８６）の下に軸当て部（７２ｂ）をスライドさせて設置する。またワイヤーロープ（７１）は支柱（９１）に巻き、両端の輪を軸着部（８４）に掛け、巻いた位置を上に移動してワイヤーロープ（７１）を張って固定して設置を完了する。
【００１３】
以下、順次各部を説明する。先端金具（１１）（図５）は、前面は円弧状でこの上面の角は斜めの形状になっており矯正中の収まりを良くする。また本体（１０）の基台の部分より巾があり、それによりワイヤーロープ（６１）を案内をするとともにワイヤーロープ（６１）の保持力を受け、押圧矯正時の本体（１０）前部の浮き上がりを防止する。なお先端金具（１１）は本体（１０）の基台の部分を削って溶接する。
【００１４】
取っ手（１３）は、押圧力のかかった油圧ジャッキ（３０）のロッド（３２）を短縮する時に、この部分を持ち上げて助けとする。
【００１５】
ジャッキ取付台（２０）は、ストッパー自動はね上げ型（図４Ａ）・ハシゴ型（図４Ｂ）・多段ノッチ型（図４Ｃ）など試作したが、前後向きを逆にできるうえ製造が容易な後脚振り出し型（図４Ｄ）を採用した。これは後脚（２３）を受片（１２）にあてがうことにより油圧ジャッキ（３０）を前上方に送り出し一動作で位置と方向を変えるもので、ストロークの短い小型で強力な油圧ジャッキ（３０）の使用が可能となると同時に、方向も変えて押圧が有効に働くように修正できる。なお牽引矯正時には軸着部（８１）で前後の向きを逆にして付け変える。そして後脚（２３）を支柱（９１）とワイヤーロープ（６１）の両方にあてがうことにより、牽引力が加わるのに応じて自動的にワイヤーロープ（６１）を押えて浮き上がりを確実に防止する。この時必要以上に押えすぎることもなく支柱（９１）とワイヤーロープ（６１）を傷めない。
【００１６】
油圧ジャッキ（３０）は、ジャッキ取付台（２０）の取付部（２１）に挿し挟み取付ける。
【００１７】
押圧部品（４０）（図６）は、従来の技術では支柱の被押圧部をクランプで保持していたが、本発明では支持部品（５０）によって押圧部品（４０）と本体（１０）の先端部との間隔を維持しているので、保持の必要がなく当てるだけである。また押圧部品（４０）の前面にはゴム（４１）等の保護財を用いて支柱（９１）を痛めないようにする。なお、牽引矯正時には軸着部（８４）に牽引用ワイヤーロープ（７１）の両端の輪を掛ける。
【００１８】
支持部品（５０）は、これを設けることにより、従来の技術では支柱の被押圧部を保持するクランプが、矯正中の加圧によって支柱の上方に逃げるのを防ぐために強く締めつける操作が必要だったが、被押圧部の保持をしないので、ワイヤーロープ（６１）とともに設置の手間を減らす。またこれにより耐久性に問題があったクランプによる被押圧部の保持が無いので、押圧力の強い油圧ジャッキ（３０）を無理なく使用できる。さらに、この支持部品（５０）により牽引による矯正も実現可能となる。なお、牽引矯正時には軸着部（８７）に設置する。使用しない時はこれを折りたたんで仕舞う。
【００１９】
保持部品（６０）は、クランプ等やワイヤーロープ（６１）を用いるが、押圧力の強い油圧ジャッキ（３０）の使用には、クランプ等を用いた保持では耐久性に問題があったが、ワイヤーロープ（６１）は問題なく使用が可能である。
【００２０】
ワイヤーロープ（６１）による保持は、クランプ等より支柱（９１）に密着出来るので摩擦力が強く保持が効く、また矯正中の押圧力が加わるのに応じて自動的に締め付け、さらに密着して保持が確実なものとなる方法なので、不必要に締め付けることがなく、支柱（９１）もワイヤーロープ（６１）も傷めない。
【００２１】
またワイヤーロープ（６１）による保持は、クランプを用いた方法では矯正時におこる支柱（９１）根元のすぐ上にある保持部の移動による本体（１０）の浮き上がりを押えることの不確実性（カムによる本体の浮き上がり防止は、カムの形状と矯正中のカムの係合片の軌道とが一致しないとだめだが、その軌道は支柱（９１）の破損状態により一定ではない）が避けられないのに対して、ワイヤーロープ（６１）が支柱（９１）の根元に密着して十分強力に本体（１０）の浮き上がりを押え続けるので、支柱基礎コンクリート（９２）の周りが軟弱で、支柱（９１）が確実に矯正出来ないままに、支柱基礎コンクリート（９２）が浮上がり、周りを破壊してしまうことを防止できる。
【００２２】
さらにワイヤーロープ（６１）による保持は、いろいろな形や太さの支柱に対応でき、１カ所に巻きつけるだけなので設置も簡単である。
【００２３】
固定装置（６２）（図８）は、ワイヤーロープ（６１）の、より目にあわせた溝を設けた固定板（６２ｄ）でワイヤーロープ（６１）を挟み、カム（６２ｅ）で固定板（６２ｄ）を押えて固定するもので、ワイヤーロープ（６１）を痛めず確実に簡単に固定することができる。
【００２４】
増締め装置（６３）（図９）は、レバー（６３ａ）のてこ作用と軸受（６３ｂ）の形状により増締めするものであるが、増締めによりあらかじめワイヤーロープ（６１）を伸ばして矯正中の加圧によるワイヤーロープ（６１）の伸びを未然に防ぎ、先端金具（１１）が支柱（９１）とワイヤーロープ（６１）から離れないようにする。これにより本体（１０）の浮き上がりを確実に防止できる。なお増締めを解除するための爪部（６３ｃ）と作業をしやすいようにストッパー（６３ｄ）を設けてある。
【００２５】
ワイヤーロープ（７１）と補助金具（７２）（図７）は、支柱（９１）が曲がっている方向に壁等があり、間が狭くて設置不能な時には押圧による矯正が出来ないので、これらを使用して牽引による矯正を可能にする。また、押圧による矯正では作業が危険な場合に使用する。
【００２６】
補助金具（７２）は、地面押え部（７２ａ）と本体押え部（７２ｃ）の中間にある軸当て部（７２ｂ）を、ワイヤーロープ（６１）の強力な保持のもと軸着部（８６）が押えることにより、本体（１０）が浮き上がろうとして発生する軸当て部（７２ｂ）を中心とする回転力を、地面押え部（７２ａ）で受けて、本体（１０）の浮き上がりの防止が可能になる。本体（１０）から見て支柱（９１）の後側に出来るだけ出して使用するが、支柱（９１）の後が狭く本体（１０）への押えが十分でない場合は本体（１０）の後端を足で押える。それでも不足なら本体（１０）中に棒を差し込み後に延設して棒の後端を足で押える。
【００２７】
第２の実施の形態を説明する。第１の実施の形態との構成の違いは、本体（１０）先端部にロープ掛金具（１４）を設けてあることだけである。
【００２８】
第１の実施の形態との設置方法の違いは、牽引矯正時はロープ掛金具（１４）は必要がなく同じだが、押圧矯正時にワイヤーロープ（６１）を支柱（９１）の根元に巻く時に、ロープ掛金具（１４）の先端にある掛片（１４ｂ）をワイヤーロープ（６１）と支柱（９１）の間に挟持するように設置することだけである。なお増締めの必要はなくなる。
【００２９】
ロープ掛金具（１４）は、本体（１０）先端部の中に前後に移動可能に設け、軸着部（８６）と先端金具（１１）に接している。矯正時の加圧によりワイヤーロープ（６１）が伸びて、先端金具（１１）は後にさがり支柱（９１）と先端金具（１１）の間が離れる（図１１）が、ロープ掛金具（１４）が先端金具（１１）を押えるので、増締め装置（６３）がなくても本体（１０）の浮き上がりを確実に防止する。そのうえ増締めをやらなくてもすむので作業の手間を減らす。掛片（１４ｂ）は板を前後に回動可能に設けるか、前部を上下に曲面させて凸状に設ける。掛片（１４ｂ）の前面にゴム（１４ａ）等の保護財を用いて支柱（９１）と掛片（１４ｂ）を痛めないようにする。なおロープ掛金具（１４）の後端には抜け落ちないようにストッパー（１４ｃ）がある。
【００３０】
【発明の効果】
請求項１記載の発明では、本体の先端部と押圧部品の間隔を維持する支持部品を設けたので、従来の技術による被押圧部の保持の必要がなく簡便になったうえに、耐久性に問題があったクランプで被押圧部を保持しないので、強力で堅牢なジャッキを無理なく使用出来るようになり経済的である。
請求項２記載の発明では、ジャッキの位置が変えられるジャッキ取付台なので、小型のジャッキが使用でき、装置の小型軽量化（１９．５ｋｇ→１３ｋｇ）が出来た。
請求項３記載の発明では、保持部品はワイヤーロープからなることにより、押圧力の強いジャッキの使用にも問題なく使用でき堅牢である。また、支柱の根元に密着でき、押圧力に比例して締め付けが働くので、保持が強く確実なうえに支柱を傷めない。さらに、いろいろな形や太さの支柱に対応でき、設置は１カ所の保持だけなので簡便である。
請求項４記載の発明では、保持部品は、ワイヤーロープを固定板で挟持することにより、ワイヤーロープを痛めず確実に簡単に固定できる。
請求項５記載の発明では、保持部品は、増締め装置で増締めすることにより、本体が支柱とワイヤーロープから離れないようになり、本体の浮き上がりを確実に簡単に防止できる。
請求項６記載の発明では、牽引用補助金具と牽引用ワイヤーロープを用いることにより、押圧による矯正が出来ない時や押圧による矯正では危険な時に、牽引による矯正が出来る。
請求項７記載の発明では、本体先端部のロープ掛金具により、増締め装置がなくても本体の浮き上がりを確実に防止する。そのうえ押圧矯正時には増締めをやらないので作業の手間を減らす。
【図面の簡単な説明】
【図１】押圧矯正実施時の左方からの説明図
【図２】牽引矯正実施時の左方からの説明図
【図３】押圧矯正時の、本体とジャッキ取付台の、左後方からの斜視図
【図４】色々なジャッキ取付台の左方からの図、（Ａ）、（Ｂ）、（Ｃ）、（Ｄ）
【図５】先端金具の左前方からの斜視図
【図６】押圧矯正時の押圧部品と油圧ジャッキ先端部の、手前が左方の平面図
【図７】補助金具の左後方からの斜視図
【図８】固定装置の左側面図（Ａ）と、手前が左方の平面説明図（Ｂ）
【図９】増締め装置の右側面図（Ａ）と、手前が右方の平面説明図（Ｂ）
【図１０】ロープ掛金具の左前方からの斜視図
【図１１】ロープ掛金具を用いた押圧矯正実施時の加圧前（Ａ）と加圧開始後（Ｂ）における、本体先端部とその付近の左方からの中心断面説明図
【符号の説明】
１０  本体
１１  先端金具      １２  受片          １３  取っ手
１４  ロープ掛金具
１４ａ  ゴム    １４ｂ  掛片    １４ｃ  軸当て部    １４ｄ  ストッパー
２０  ジャッキ取付台
２１  取付部    ２２  前脚    ２３  後脚    ２４  バネ  ２５  ストッパー
３０  油圧ジャッキ
３１  接続ナット  ３２  ロッド      ３３  シリンダー  ３４  レバー
４０  押圧部品
４１  ゴム            ４２  押圧金具      ４３  ジャッキ受金具
５０  支持部品
（６０）保持部品
６１  ワイヤーロープ
６２  固定装置
６２ａ  レバー    ６２ｂ  軸受      ６２ｃ  案内      ６２ｄ  固定板
６２ｅ  カム
６３  増締め装置
６３ａ  レバー    ６３ｂ  軸受      ６３ｃ  爪部      ６３ｄ  ストッパー
（７０）牽引時用部品
７１  ワイヤーロープ
７２  補助金具
７２ａ  地面押え部    ７２ｂ  軸当て部      ７２ｃ  本体押え部
８１，８２，８４，８５，８６，８７，８８，８９  軸着部
９１  支柱                            ９２  支柱基礎コンクリート
【図１】
0003694705.tif 000002
【図２】
0003694705.tif 000003
【図３】
0003694705.tif 000004
【図４】
0003694705.tif 000005
【図５】
0003694705.tif 000006
【図６】
0003694705.tif 000007
【図７】
0003694705.tif 000008
【図８】
0003694705.tif 000009
【図９】
0003694705.tif 000010
【図１０】
0003694705.tif 000011
【図１１】
0003694705.tif 000012